(57)【要約】【課題】シンプルな構造で立体化により自立可能なペット用吸水シートを提供すること【解決手段】本発明は、略扇形の吸水性シートで構成され、第一の半径部分と第二の半径部分とを接続可能であり、略円錐形状に立体化することにより自立可能であること、を特徴とするペット用吸水シートを提供する。【選択図】図２
2016096807.tif 000002
【特許請求の範囲】
【請求項１】
略扇形の吸水性シートで構成され、
第一の半径部分と第二の半径部分とを接続可能であり、
略円錐形状に立体化することにより自立可能であること、
を特徴とするペット用吸水シート。
【請求項２】
前記略扇形の吸水性シートにおいて内側中央部に略扇形の切欠部を有し、
前記略円錐形状において頂部が開口していること、
を特徴とする請求項１に記載のペット用吸水シート。
【発明の詳細な説明】
【技術分野】
【０００１】
本発明は、ペット用具に関し、より具体的には、特に雄犬用ペットが尿をする際に有効に利用することのできる立体化により自立可能なペット用吸水シートに関する。
【背景技術】
【０００２】
近年犬や猫等のペットの市場が拡大しているが、集合高層化や都市市街地化した住宅施設において飼育するペットは飼育用空き地の消失や狭小化に伴い、必然的に人の居住する住居区域内において同居状態にして飼育されるケースが激増している。
【０００３】
ここで、室内飼育されるペット動物の生育に必然に伴う生理現象として排尿排便があるが、その始末に困ることが多く、しかもその排尿排便は単に生理現象としてではなく、習性として、壁面や背の高い物体の側や直接に掛け或いは付着させることにより、いわゆるマーキングとして自らのテリトリーとしての縄張主張の一手段とするものである。
【０００４】
したがって、排尿排便用の容器や排便排尿用の施設を用意しても、ペットはその習性により必ずしもその中に排尿排便を行わず、部屋の壁面や家具や扇風機等の電気製品等に排尿排便を掛けたりしてしまうという習性がある。
【０００５】
かかる習性を利用した発明として、例えば特許文献１（登録実用新案第３０５０２８９号公報）においては、「ペット動物を室内飼育する場合に折角排尿排便用容器や排便排尿用施設を用意しても、必ずしもその中に排尿排便を行わず、部屋の壁面や家具に排尿排便を掛けたり付着せしめるという問題があった。」ことに着目し、「基盤に突起体を一体に接着し又は取付取外自在に取付けて突設し、透孔を穿孔してなる吸湿シートの前記透孔に前記突起体を挿脱自在に挿入して前記吸湿シートを基盤に重合して設けてなることを特徴とするペット動物室内排泄用具。」が提案されている。
【０００６】
また、例えば特許文献２（特開２００６−１６６７９５号公報）においては、「ペットを室内飼育する場合、排尿・排便に対する躾は行うもののなかなかうまくいかず、シート外のカーペットや家具などを汚すことが多い。」ことに着目して、「ペット用おしっこポールにおいて、該ポールは折畳み・平面から立体への展開が可逆的に可能であり、かつポールの下端が該ポールに対して略直角に展開可能としたことを特徴とするペット用おしっこポール。」が提案されている
【先行技術文献】
【特許文献】
【０００７】
【特許文献１】登録実用新案第３０５０２８９号公報
【特許文献２】特開２００６−１６６７９５号公報
【発明の概要】
【発明が解決しようとする課題】
【０００８】
しかしながら、上記特許文献１のペット動物室内排泄用具では、基盤と突起体と吸湿シートとを必須の構成部材としており、構造が複雑であるという問題があり、また、上記特許文献２のペット用おしっこポールでは、ポール部分を自立させるためには、下端に位置するシート状の部分が必要であり、依然として構造が複雑であるという問題があった。
【０００９】
そこで、本発明の目的は、上記のような従来のペット動物室内排泄用具やペット用おしっこポールの問題点に鑑み、シンプルな構造で立体化により自立可能なペット用吸水シートを提供することにある。
【課題を解決するための手段】
【００１０】
上記の課題を解決すべく、本発明は、
略扇形の吸水性シートで構成され、
第一の半径部分と第二の半径部分とを接続可能であり、
略円錐形状に立体化することにより自立可能であること、
を特徴とするペット用吸水シートを提供する。
【００１１】
このような構成を有する本発明のペット用吸水シートによれば、簡単な構造の略扇形の吸水性シートのみで、簡単に立体化して自立させることができ、ペットの排尿排便に好適に利用することができる。また、略円錐形状であることから、尿が傾斜状部分を上部から下部に向かってつたっていく際に、好適に吸収され、周辺環境を汚さないでおくことができる。
【００１２】
また、上記本発明のペット用吸水シートでは、
前記略扇形の吸水性シートにおいて内側中央部に略扇形の切欠部を有し、
前記略円錐形状において頂部が開口していること、
が好ましい。
【００１３】
このような構成を有する本発明のペット用吸水シートによれば、自立するポールや瓶に、略円錐形状に立体化したペット用吸水シートを上から挿入し、当該ポールや瓶の上部を開口から外部に出すことにより、ペット用吸水シートをより確実に自立させることができる。
【発明の効果】
【００１４】
本発明によれば、シンプルな構造で立体化により自立可能なペット用吸水シートを実現することができる。
【図面の簡単な説明】
【００１５】
【図１】本発明のペット用吸水シートの一実施形態の構成を示す概略展開図である。
【図２】図１に示すペット用吸水シートを立体化により自立可能な状態となった場合の概略斜視図である。概略斜視図である。
【発明を実施するための形態】
【００１６】
以下、本発明のペット用吸水シートの代表的な実施形態について、図面を参照しつつ詳細に説明するが、本発明はこれらのみに限定されるものではない。ただし、図面は、本発明を概念的に説明するためのものであるから、理解容易のために、必要に応じて寸法、比又は数を誇張又は簡略化して表している場合もある。
【００１７】
本発明の一実施形態のペット用吸水シート１は、図１に示すように、略扇形の吸水性シート２で構成され、第一の半径部分４ａと第二の半径部分４ｂとが接続可能であり、図２に示すように、略円錐形状に立体化することにより自立可能であること、を特徴とする。
【００１８】
この吸水性シート２は、略円錐形状に立体化するに耐えることのできる固さ乃至は剛性を有していればよく、種々の吸水性シートで構成することができ、単層構造でも複層構造であってもよい。
【００１９】
なかでも、環境性の観点から、吸収性シート２は、尿等の液体を速やかに透過させる透液性の表面シート、表面シートの裏面側に配置される不透液性の裏面シート、これら表面シートと裏面シートとの間に介装される吸収体等を備えて構成されているのが好ましい。
【００２０】
この場合、表面シートは、有孔又は無孔の不織布や、多孔性プラスチックシート等により形成することができる。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。
【００２１】
また、表面シートに多数の透孔を形成する場合には、尿等の液体がより速やかに吸収されるようになり、ドライタッチ性に優れた吸水性シート２とすることができる。
【００２２】
裏面シートは、不透液性の素材であれば、特に限定されるものではなく、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シート等を用いることができる。
【００２３】
熱や圧力をかけることで繊維の空隙を小さくしたり、高吸水性樹脂又は疎水性樹脂や撥水剤を塗布したりして、プラスチックフィルムを用いずに不透液性としたシートを裏面シートとして用いることができる。
【００２４】
吸収性シート２の周縁においては、表面シートと裏面シートとが、ホットメルト接着剤、ヒートシール又は超音波シール等により貼り合わされている。
【００２５】
表面シートと裏面シートとの間に介装される吸収体は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、当該吸収体は、高吸水性樹脂を含むものである。
【００２６】
高吸水性樹脂としては、例えばカルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、又はイソブチレンとマレイン酸との共重合体等が好適に用いられる。
【００２７】
更に消臭機能を持たせるため、吸収体に消臭剤を入れてもよい。消臭剤としては、例えば、活性炭や天然鉱物（例えば、ベンナイト、カオリナイト、カネマイト等）、合成無機物（例えば、ゼオライト、アモルファスシリカ等）を用いることができる。
【００２８】
次に、第一の半径部分４ａと第二の半径部分４ｂとが接続可能であり、本実施形態においては、第二の半径部分４ｂに沿って設けられた接着部６により接続可能である。この接着部６は、いわゆる両面テープにより形成することができる。
【００２９】
このように接着部６において第一の半径部分２ａと第二の半径部分２ｂとを接着によって接続することにより、図２に示すような略円錐形状に立体化することができ、自立可能な状態にすることができる。
【００３０】
以上、本発明のペット用吸水シートの代表的な実施形態について説明したが、略円錐形状であることから、尿が傾斜状部分を上部から下部に向かってつたっていく際に、好適に吸収され、周辺環境を汚さないでおくことができる。したがって、吸水性シート２は高吸水性であることが好ましい。
【００３１】
また、上記の実施形態に係るペット用吸水シート１は、種々のサイズ（高さ、幅）のものを用意しておき、ペットの大きさや尿の量に応じて、積み重ねて使用することもできる。したがって、本発明のペット用吸水シートは、複数の寸法の上記ペット用吸水シートの組合せ（積層体）にも関する。
【００３２】
また、本実施形態のペット用吸水シート１のみでは、尿が周囲に飛び散ったりするおそれがあるため、ペット用吸水シート１の下に通常の吸水性シートを敷いてもよい。また、ペット用吸水シート１の周辺に、略Ｏ字状（略輪状）又は略Ｃ字状（略半輪状）の吸水性シートを敷いてもよい。特に、背面に壁が位置する場合には、前方に略Ｃ字状の吸水性シートを敷けばよい。
【００３３】
以上、本発明のペット用吸水シートの代表的な実施形態について説明したが、特許請求の範囲に記載された本発明の技術的思想の範囲内で種々の設計変更が可能であり、それらは全て本発明に含まれるものである。
【００３４】
例えば、接着部は両面テープ以外のもので構成されていてもよいし、前記略扇形の吸水性シートにおいて内側中央部に略扇形の切欠部を有し、前記略円錐形状において頂部が開口していてもよい。いわゆるセロハンテープのような接着部材で接続してもよい。
【産業上の利用可能性】
【００３５】
本発明のペット用吸水シートは、雄及び雌の別を問わず、広く室内犬や室内猫等のペットの排尿に適している。また、使い捨て型とすることができ、室内を綺麗な環境に保持することができ、好ましい。
【符号の説明】
【００３６】
１・・・ペット用吸水シート、
２・・・吸水性シート、
４ａ・・・第一の半径部分、
４ｂ・・・第二の半径部分、
６・・・接着部。
【図１】
2016096807.tif 000003
【図２】
2016096807.tif 000004